(57)【特許請求の範囲】
【請求項１】
アンテナコア及び前記アンテナコアと磁気的に結合する受信リード板を有するアンテナと、コイル及びステータを有するステップモータと、外部磁気から前記ステップモータを保護し、平面視において前記受信リード板に重ならない耐磁板と、を有し、
前記受信リード板と前記耐磁板とは別体に形成され、
前記耐磁板は、平面視において前記ステータに重なって配置され、
前記受信リード板は、平面視において一部が前記コイルに重なって配置されている電波修正時計。
【請求項２】
前記コイルが前記ステータよりも外周側に配置されている請求項１に記載の電波修正時計。
【請求項３】
前記受信リード板が載置される受信リード板載置面が形成された地板を備え、
前記地板は、前記受信リード板載置面に対して突出し、前記受信リード板の複数の部分にそれぞれ接触して前記受信リード板を前記受信リード板載置面に押圧する複数の庇が形成されている請求項１又は２に記載の電波修正時計。
【請求項４】
複数の前記庇のうち１つの庇は、前記受信リード板の長手方向の端部に対応して形成され、前記１つの庇に対向した部分は前記載置面が開口して前記アンテナコアが露出している請求項３に記載の電波修正時計。
【請求項５】
複数の前記庇のうち２つの庇は、前記受信リード板の長手方向の２つの端部にそれぞれ対応して形成され、前記２つの庇の内側に突き当て面が形成され、前記２つの突き当て面の間の長さが、前記受信リード板の長手方向に沿った長さと同じか又はわずかに長い請求項３又は４に記載の電波修正時計。
【請求項６】
前記２つの庇のうち一方の庇に対向する部分は、前記受信リード板載置面が開口している請求項５に記載の電波修正時計。
【請求項７】
前記受信リード板は、前記庇により押圧される部分を除いた少なくとも一部が、前記庇により押圧される部分よりも厚く形成されている請求項３から６のうちいずれか１項に記載の電波修正時計。
【請求項８】
前記地板は、前記耐磁板を載置する耐磁板載置面を有し、
前記地板は、前記耐磁板載置面に載置された前記耐磁板の外周側に対応する少なくとも１つの部分に、前記耐磁板が前記耐磁板載置面から浮き上がるのを防止又は抑制する耐磁板用の庇が形成され、
前記耐磁板は、前記外周側が前記耐磁板用の庇によって前記耐磁板載置面に押圧され、内周側が押さえ部材によって前記耐磁板載置面に押圧されている請求項３から７のうちいずれか１項に記載の電波修正時計。
【請求項９】
平面視で、前記受信リード板に重なる配置で、円板状または円環板状の表示部材を備えている請求項１から８のうちいずれか１項に記載の電波修正時計。
【発明の詳細な説明】
【技術分野】
【０００１】
本発明は、電波修正時計に関する。
【背景技術】
【０００２】
電波修正時計は、時針、分針等の指針を駆動するモータと、時刻情報を含む標準電波を受信するアンテナと、受信して得られた時刻情報に基づいて、時針、分針等の指針を適切な指示位置まで駆動するようにモータを制御する制御部とを備えている。また、モータを備えた時計は、モータを外部磁界の影響を受け難くするために耐磁板も備えている。耐磁板は、モータ、特にステータを覆うように配置されている。
【０００３】
腕時計のようにサイズの小さい時計の場合、アンテナとして、アンテナ本体であるコアと、コアの両端に接触した磁性材料の付加ブロックと、付加ブロックに接触して円弧状に延びたアモルファス等のリード板とを備えた構造が提案されている（例えば、特許文献１参照）。
【０００４】
この構造のアンテナは、リード板が付加コアを介してアンテナコアと磁気的に一体化されるため、長さを実質的に延長したのと同等の受信性能を得ることができる。しかも、このアンテナの構造は、コアとリード板とを時計の厚さ方向の異なる位置に配置することができるため、一体の長いアンテナに比べて、配置の自由度が高いという利点がある。なお、時計の厚さが厚くなるのを抑制する観点から、リード板と耐磁板とは、時計の厚さ方向にいて同程度の高さ位置に配置されることが多い。
【先行技術文献】
【特許文献】
【０００５】
【特許文献１】特許第５５８７８０８号公報
【発明の概要】
【発明が解決しようとする課題】
【０００６】
ところで、サイズの小さい時計を実現しようとすると、モータや歯車輪列も含めてムーブメントの全体を時計の中央部に寄せる必要がある。しかし、ムーブメントの全体を中央部に寄せるのが難しいものもある。
【０００７】
本発明は上記事情に鑑みなされたものであって、モータを含めたムーブメントの全体を時計の中央部に寄せることなく、サイズを小さくすることのできる電波修正時計を提供することを目的とする。
【課題を解決するための手段】
【０００８】
本発明は、アンテナコア及び前記アンテナコアと磁気的に結合する受信リード板を有するアンテナと、コイル及びステータを有するステップモータと、外部磁気から前記ステップモータを保護し、平面視において前記受信リード板に重ならない耐磁板と、を有し、前記受信リード板と前記耐磁板とは別体に形成され、前記耐磁板は、平面視において前記ステータに重なって配置され、前記受信リード板は、平面視において一部が前記コイルに重なって配置されている電波修正時計である。
【発明の効果】
【０００９】
本発明に係る電波修正時計によれば、モータを含めたムーブメントの全体を時計の中央部に寄せることなく、サイズを小さくすることができる。
【図面の簡単な説明】
【００１０】
【図１】本発明に係る電波修正時計の一実施形態である時計のムーブメントを示す図である。
【図２】図１におけるアンテナ、ステップモータ及び耐磁板の配置を示す平面図である。
【図３】アンテナを示す斜視図である。
【図４】地板上に受信リード板及び耐磁板が保持されている状態を示す平面図である。
【図５】図４におけるＩ−Ｉ線に沿った要部断面を示す要部断面図である。
【図６】図４におけるＩＩ−ＩＩ線に沿った要部断面を示す要部断面図である。
【図７Ａ】開口を使って地板に受信リード板を保持させる操作を説明する図であり、開口に受信リード板の端部を挿し入れる前の状態を示す。
【図７Ｂ】開口を使って地板に受信リード板を保持させる操作を説明する図であり、受信リード板を傾けて開口に受信リード板１３の端部を挿し入れた状態を示す。
【図７Ｃ】開口を使って地板に受信リード板を保持させる操作を説明する図であり、開口に端部が挿し入れられた受信リード板を撓ませた状態で、長手方向に移動させる状態を示す。
【図８Ａ】開口を使って地板に耐磁板を保持させる操作を説明する図であり、耐磁板を耐磁板載置面に対して立てた姿勢で、開口に耐磁板の屈曲した凸部を挿し入れる前の状態を示す。
【図８Ｂ】開口を使って地板に耐磁板を保持させる操作を説明する図であり、開口に耐磁板の凸部をそれぞれ挿し入れた状態を示す。
【図９】地板に形成された庇により押圧される部分（端部、凸部）を除いた一部が、庇により押圧される部分よりも厚く形成された受信リード板を含むアンテナを示す斜視図である。
【図１０】一部を２枚重ねにした受信リード板を含むアンテナを示す斜視図である。
【図１１Ａ】受信リード板を地板に保持させる様子を示す図であり、受信リード板のうちベース板を保持させる前の状態を示す。
【図１１Ｂ】受信リード板を地板に保持させる様子を示す図であり、図１１Ａにおける庇を弾性変形させて凸部を庇の下側に挿し入れた状態を示す。
【図１１Ｃ】受信リード板を地板に保持させる様子を示す図であり、ベース板を長手方向に移動させて地板に保持させた状態を示す。
【図１１Ｄ】受信リード板を地板に保持させる様子を示す図であり、ベース板に重ねられた付加板を地板に保持させた状態を示す。
【発明を実施するための形態】
【００１１】
以下、本発明に係る電波修正時計の実施形態について、図面を用いて説明する。
＜時計の構成＞
図１は本発明に係る電波修正時計の一実施形態である電波修正時計１（以下、単に時計１という。）のムーブメント２を示す図であり、図２は図１におけるアンテナ１０、ステップモータ２０及び耐磁板３０の配置を示す平面図、図３はアンテナ１０を示す斜視図である。図１に示した時計１のムーブメント２は、アンテナ１０と、ステップモータ２０と、耐磁板３０と、地板４０と、日車（日板；表示部材の一例）５０と、日車押さえ（日板押さえ）６０とを備えている。アンテナ１０は、時刻情報を含む長波の標準電波を受信する。
【００１２】
なお、時計１は、時針、分針等の他、アンテナ１０で受信して得られた時刻情報に基づいて時針、分針等の指針を適切な指示位置まで駆動するようにステップモータ２０を制御する制御部なども備えているが、本発明の説明上不要であるため、それらの図示及び説明は省略する。
【００１３】
アンテナ１０は、図２，３に示すように、巻き線が巻かれたアンテナコア１１と、付加ブロック１２ａ，１２ｂと、受信リード板１３とを備えている。アンテナコア１１、付加ブロック１２ａ及び受信リード板１３は、いずれも磁性材料である。アンテナコア１１は、ムーブメント２に備えられたステップモータ２０やその他の歯車輪列と同様に、地板４０の裏面側に配置され、受信リード板１３は地板４０の表面側に配置されている。
【００１４】
付加ブロック１２ａは、時計１の厚さ方向（地板４０の表裏面方向）における、アンテナコア１１の巻き線から突出した両端のうちの一方の端部１１ａと受信リード板１３の一方の端部１３ａとの間に、これらアンテナコア１１及び受信リード板１３にそれぞれ接触して配置されている。これにより、受信リード板１３は、付加ブロック１２ａを介してアンテナコア１１と磁気的に結合している。
【００１５】
なお、付加ブロック１２ａは、アンテナコア１１の端部１１ａと別体であるものでなくてもよく、端部１１ａと一体に形成されていてもよい。また、アンテナコア１１の端部１１ａと受信リード板１３とを直接接触させたとき、安定した接触状態を維持できる場合は、付加ブロック１２ａを無くした構成とすることもできる。この場合、付加ブロック１２ａが無いことにより、時計１の一層の軽量化、薄型化又は小型化が可能である。
【００１６】
なお、図２に示すように、アンテナコア１１の他方の端部１１ｂには、付加ブロック１２ａと同様の付加ブロック１２ｂが接触して備えられているが、受信リード板１３と同様の受信リード板は備えられていない。時計１は、付加ブロック１２ｂに接触してアンテナコア１１と磁気的に結合する受信リード板を備えてもよい。この場合の追加する受信リード板は、受信リード板１３と対称な形状である必要はなく、長さや幅、厚さなどは、時計１の内部の空間などに応じて適宜設定されたものでよい。
【００１７】
なお、付加ブロック１２ｂについても、付加ブロック１２ａと同様に、アンテナコア１１の端部１１ｂと一体に形成されていてもよく、また、端部１１ｂを無くした構成とすることもできる。
【００１８】
受信リード板１３は、例えばアモルファス材で形成されている。受信リード板１３は、図１に示すように、円環状に形成された日車５０の裏面側に配置されている。受信リード板１３は、日車５０の円環に沿った円弧状に形成されている。受信リード板１３には、付加ブロック１２ａに接触する側の端部１３ａに近接して、円弧の半径方向の内周側に突出した凸部１３ｃと、半径方向の外周側に突出した凸部１３ｄとが形成されている。また、受信リード板１３には、一方の端部１３ａよりも他方の端部１３ｂに近い部分に、円弧の半径方向の外周側に突出した凸部１３ｅが形成されている。なお、日車５０は、図１に示すように、平面視で、受信リード板１３に重なって配置されている。
【００１９】
ステップモータ２０は、時計１が備えた時針や分針等の自刻指示用の指針を、ムーブメント２が備えた歯車輪列を介して駆動する。また、ステップモータ２０は、アンテナ１０が受信した標準電波に含まれた時刻情報に基づいて、時刻指示用の指針が正しい時刻を指示するように、時計１が備えた制御部によって、その駆動が制御される。
【００２０】
ステップモータ２０は、図２に示すようにコイル２１、ステータ２２及びロータ２３を有し、図１に示す平面視でステータ２２及びロータ２３が日車押さえ６０に重なる位置に配置され、コイル２１が日車５０に重なる位置に配置されている。したがって、ステップモータ２０は、ステータ２２及びロータ２３が中心Ｃからの半径方向の内周側、コイル２１が半径方向の外周側となる姿勢で配置されている。なお、ステップモータ２０とアンテナコア１１とは、時計１の中心Ｃ回りの角度で例えば約９０［度］隔てて配置されている。
【００２１】
耐磁板３０は、ステップモータ２０を外部磁気から保護する。耐磁板３０は、受信リード板１３と同様に地板４０の表面側に配置されていて、時計１の厚さ方向において、受信リード板１３と略同じ高さ位置に配置されている。耐磁板３０は、受信リード板１３とは別体に形成されている。耐磁板３０は、図２の平面視に示すように、ステップモータ２０のステータ２２に重なって配置されている。なお、耐磁板３０は、ロータ２３に対応する部分に孔３１が形成されて、ロータ２３には平面視で重ならないようになっている。
【００２２】
一方、受信リード板１３は、図２の平面視に示すように、ステップモータ２０のコイル２１に重なって配置されている。ステップモータ２０は、前述したように、コイル２１がステータ２２よりも半径方向の外周側となる姿勢で配置されているため、受信リード板１３は耐磁板３０よりも外周側に配置されている。なお、受信リード板１３と耐磁板３０とは非接触であり、図２の平面視において、一部においても重なっていない。
【００２３】
図４は、地板４０上に受信リード板１３及び耐磁板３０が保持されている状態を示す平面図、図５は、図４におけるＩ−Ｉ線に沿った要部断面を示す要部断面図、図６は、図４におけるＩＩ−ＩＩ線に沿った要部断面を示す要部断面図である。日車５０に対向する地板４０の表面側には、図５に示すように、受信リード板１３が載置される受信リード板載置面４１が形成されている。また、日車押さえ６０に対向する地板４０の表面側には、図６に示すように、耐磁板３０が載置される耐磁板載置面４９が形成されている。
【００２４】
地板４０は、図５，６に示すように、受信リード板載置面４１に対して地板４０の表面側（時計１の日車５０の側）に突出し、受信リード板載置面４１に載置された受信リード板１３の両端部１３ａ，１３ｂ及び３つの凸部１３ｃ，１３ｄ，１３ｅに、上方（日車５０の側）からそれぞれ接触して、受信リード板１３を受信リード板載置面４１に押圧する庇４３ａ，４２ａ，４４ａ，４５ａ，４６ａが形成されている。
【００２５】
また、５つの庇４３ａ，４２ａ，４４ａ，４５ａ，４６ａのうち１つの庇４３ａは、受信リード板１３の長手方向の一方の端部１３ａに対応して形成され、この庇４３ａに対向した部分は、受信リード板載置面４１が開口している。そして、この開口４３ｃからは、アンテナコア１１に接触した付加ブロック１２ａが露出している。
【００２６】
さらに、庇５つの庇４３ａ，４２ａ，４４ａ，４５ａ，４６ａのうち、受信リード板１３の長手方向の両端部１３ａ，１３ｂに対応して形成された２つの庇４３ａ，４２ａは、それらの内側に突き当て面４３ｂ，４２ｂが形成されている。そして、２つの突き当て面４２ｂ，４３ｂ間の、受信リード板１３の長手方向に沿った長さが、受信リード板１３の長手方向に沿った長さと同じか又はわずかに長く形成されている。加えて、他方の端部１３ｂに対応して形成された庇４２ａに対向した部分は、受信リード板載置面４１が開口している。
【００２７】
また、地板４０には、図４，６に示すように、耐磁板載置面４９に載置された耐磁板３０の半径方向の外周側に形成された２つの凸部３２，３３に対応して、耐磁板３０が耐磁板載置面４９から浮き上がるのを防止又は抑制する庇４７ａ，４８ａが形成されている。なお、この耐磁板３０の浮き上がりを防止又は抑制する庇は２つでなくてもよく、１つであってもよいし、３つ以上であってもよい。
【００２８】
また、耐磁板３０の半径方向の内周側には、図１の平面視において日車押さえ６０が重なる。そして、この日車押さえ６０が重なった耐磁板３０の内周側の部分には、図６に示すように、日車押さえ６０の、地板４０に向けて突出して形成された突起６１が接触している。これにより、耐磁板３０は、外周側が２つの庇４７ａ，４８ａによって押さえられて、耐磁板載置面４９から浮き上がるのが防止され、内周側が日車押さえ６０（押さえ部材の一例）によって耐磁板載置面４９から浮き上がるのが防止されている。なお、耐磁板３０の内周側は、日車押さえ６０によって押さえるものに限定されず、既存の部品又は新たに追加される押さえ部材によって、耐磁板３０を押さえる構造であってもよい。
【００２９】
＜時計の作用＞
以上のように構成された時計１によると、耐磁板３０は、平面視でステップモータ２０のステータ２２に重なって配置されている。したがって、時計１は、ステップモータ２０に対する外部磁気の影響を抑制することができる。一方、アンテナ１０の受信リード板１３は、平面視においてステップモータ２０のコイル２１に重なって配置されている。したがって、時計１は、平面視において受信リード板１３がコイル２１に重ならずにステップモータ２０のコイル２１よりも外周側に配置されたものに比べて、受信リード板１３を内周側に配置することができる。
【００３０】
つまり、受信リード板１３がコイル２１に重なる程度まで内周側に寄せて配置された構造となり、時計１の外形サイズを小さくすることができる。このように、時計１は、ステップモータ２０を含めたムーブメント２の全体を時計１の中央部に寄せることなく、サイズを小さくすることができる。
【００３１】
ここで、受信リード板１３が平面視で重なるのは、ステータ２２ではなく、ステータ２２に比べてステップモータ２０の耐磁性能への影響が少ないコイル２１である。したがって、時計１は、受信リード板１３（受信リード板と耐磁板とが一体に形成されているもの（別体ではないもの）も含む。）がステータ２２に重なるものに比べて、ステップモータ２０への耐磁性能への影響を抑制することができる。なお、時計１は、受信リード板１３と耐磁板３０とが別体で形成されているため、受信リード板１３はアンテナ１０としての専用の役割の作用を発揮し、一方、耐磁板３０は耐磁板としての専用の役割の作用を発揮するため、受信リード板と耐磁板とを一体に形成して両者の役割を兼ねさせた受信リード板兼耐磁板よりも、それぞれの効果を十分に発揮させることができる。
【００３２】
また、コイル２１に受信リード板１３が重ねて配置される構造では、受信リード板１３をステップモータ２０に被せて組み立てた後に、日車５０を組み付ける手順となる。この場合、日車５０を組み付ける操作の際に、日車５０をステップモータ２０のコイル２１に誤って当ててしまうことがなく、日車５０の組み付け時にコイル２１に損傷を与えるのを防止することもできる。
【００３３】
また、時計１は、コイル２１がステータ２２よりも半径方向の外周側に配置されている構造により、コイル２１に重なる受信リード板１３を、ステータ２２に重なる耐磁板３０よりも外周側に配置することができる。したがって、受信リード板１３の長さを、受信リード板１３を耐磁板３０よりも内周側に配置したものよりも長く形成することができ、アンテナ１０の受信性能を向上させることができる。しかも、ステータ２２により回転されるロータ２３は、時計１のムーブメントに備えられた歯車輪列と噛み合わされるため、時計１の中心Ｃに近い側にステータ２２及びロータ２３が配置されていることで、歯車輪列等を合理的に配置することができる。
【００３４】
また、時計１は、地板４０の複数の庇４２ａ，４３ａ，４４ａ，４５ａ，４６ａによって、受信リード板１３を地板４０の受信リード板載置面４１に押圧しているため、接着剤を用いた接合や締結部材を用いた締結を行うことなく、受信リード板１３は地板４０に対して動かないように保持される。しかも、受信リード板１３が受信リード板載置面４１から離れる方向に変形したり姿勢が変化したりするのを防ぐことができ、日車５０との接触を防止することもできる。
【００３５】
また、時計１は、１つの庇４３ａが、受信リード板１３の長手方向の一方の端部１３ａに対応して形成され、図５に示すように、この庇４３ａに対向した部分は受信リード板載置面４１が開口して、その開口４３ｃから付加ブロック１２ａが露出している。したがって、時計１は、この庇４３ａの下側に受信リード板１３の一方の端部１３ａが挿し入れられた状態で、端部１３ａは庇４３ａにより、露出した付加ブロック１２ａに押圧される。よって、時計１は、付加ブロック１２ａと受信リード板１３とを接合したり締結したりすることなく、接触した状態を安定させることができる。
【００３６】
また、時計１は、２つの庇４３ａ，４２ａが受信リード板１３の長手方向の２つの端部１３ａ，１３ｂにそれぞれ対応して形成され、２つの庇４３ａ，４２ａの内側にそれぞれ、端部１３ａ，１３ｂが突き当てられる突き当て面４３ｂ，４２ｂが形成され、２つの突き当て面４３ｂ，４２ｂ間の長さが、受信リード板１３の長手方向に沿った端部１３ａ，１３ｂ間の長さと同じか又はわずかに長く形成されている。したがって、受信リード板１３は、長手方向の各端部１３ａ，１３ｂがそれぞれ突き当て面４３ｂ，４２ｂに略突き当たり、受信リード板１３が長手方向に沿って移動するのを防ぐことができる。
【００３７】
また、時計１は、２つの庇４３ａ，４２ａのうち、付加ブロック１２ａが露出している側とは反対側の庇４２ａに対向する部分は、受信リード板載置面４１が開口している。図７Ａ，７Ｂ，７Ｃは、開口４２ｃを使って地板４０に受信リード板１３を保持させる操作を説明する図であり、図７Ａは開口４２ｃに受信リード板１３の端部１３ｂを挿し入れる前の状態を示し、図７Ｂは受信リード板１３を傾けて開口４２ｃに受信リード板１３の端部１３ｂを挿し入れた状態を示し、図７Ｃは開口４２ｃに端部１３ｂが挿し入れられた受信リード板１３を撓ませた状態で、長手方向に移動させる状態を示す。
【００３８】
上述したように、庇４２ａに対向する部分に開口４２ｃが形成されていることにより、図５に示すように、庇４３ａ，４２ａの下側に形成された突き当て面４３ｂ，４２ｂ間の長さが、受信リード板１３の長さと略等しい場合であっても、受信リード板１３に過度の変形を加えずに、受信リード板１３を、庇４３ａ，４２ａの下側の突き当て面４３ｂ，４２ｂ間に容易に配置することができる。
【００３９】
すなわち、図７Ａに示すように、受信リード板１３を地板４０の受信リード板載置面４１に対して傾斜させた状態で、開口４２ｃに、受信リード板１３の端部１３ｂを挿し入れる。このとき端部１３ｂは地板４０の裏面側まで挿し入れられる。次いで、図７Ｂに示すように、受信リード板１３の他方の端部１３ａを受信リード板載置面４１まで押し下げる。これにより、受信リード板１３は、図７Ｃに示すように、開口４２ｃに挿し入れられた側の端部１３ｂの付近が僅かに撓む。そして、他方の端部１３ａを庇４３ａの下に挿し入れるように、受信リード板１３を、長手方向に沿って移動させる。以上の操作により、図５に示すように、受信リード板１３を突き当て面４３ｂ，４２ｂの間に容易に配置することができる。
【００４０】
また、時計１は、図６に示すように、耐磁板３０の外周側に形成された凸部３２，３３がそれぞれ庇４７ａ，４８ａにより、耐磁板載置面４９から浮き上がるのを防止され、内周側が日車押さえ６０の突起６１によって耐磁板載置面４９から浮き上がるのを防止されている。したがって、耐磁板３０は、接着剤を用いた接合や締結部材を用いた締結を行うことなく、耐磁板３０は地板４０に対して動かないように保持される。
【００４１】
なお、庇４７ａ，４８ａの、開口している側とは反対側の縦壁面４７ｄ，４８ｄを、受信リード板１３の内周縁に接するように形成することにより、縦壁面４７ｄ，４８ｄを受信リード板１３の動き止めとすることができるとともに、受信リード板１３を長手方向に移動させる際に、縦壁面４７ｄ，４８ｄを受信リード板１３の案内面とすることもできる。
【００４２】
なお、庇４７ａ，４８ａに対向する部分は、耐磁板載置面４９に開口４７ｃ、４８ｃが形成されている。図８Ａ，８Ｂは、開口４７ｃ，４８ｃを使って地板４０に耐磁板３０を保持させる操作を説明する図であり、図８Ａは、耐磁板３０を耐磁板載置面４９に対して立てた姿勢で、開口４７ｃ，４８ｃに耐磁板３０の屈曲した凸部３２，３３を挿し入れる前の状態を示し、図８Ｂは開口４７ｃ，４８ｃに耐磁板３０の凸部３２，３３をそれぞれ挿し入れた状態を示す。
【００４３】
まず、図８Ａに示すように、耐磁板３０を地板４０の耐磁板載置面４９に対して立てた姿勢で、開口４７ｃ，４８ｃに、耐磁板３０の凸部３２，３３を挿し入れる。このとき凸部３２，３３は地板４０の裏面側まで挿し入れられる。次いで、図８Ｂに示すように、耐磁板３０を耐磁板載置面４９に接するように倒伏させる。これにより、図６に示すように、開口４７ｃ，４８ｃに挿し入れられた凸部３２，３３は庇４７ａ，４８ａの下側に配置される。その後、耐磁板３０の内周側の部分３４が、日車押さえ６０の突起６１により、上方から押圧されることで、耐磁板３０は耐磁板載置面４９に押し付けられた状態で地板４０に対して動かないように保持される。
【００４４】
なお、図８Ａに示すように、耐磁板３０の凸部３２，３３を開口４７ｃ，４８ｃに挿し入れる際に、凸部３２，３３を過度に奥深くまで挿し入れると、耐磁板３０を倒伏させる際に、凸部３２，３３が、地板４０の裏面側に配置された各種の部品に干渉するおそれがある。この凸部３２，３３に干渉する部品が、例えば図８Ｂに示すように、仮にステップモータ２０のコイル２１であった場合には、コイル２１の巻き線２１ｂが断線したり電気的な短絡を起こしたりするおそれもある。
【００４５】
このため、耐磁板３０の凸部３２，３３は、図２に示すようにコイル２１の巻き線２１ｂから両側に外れたコイル芯２１ａの位置に形成し、各凸部３２，３３が挿し入れられる庇４７ａ，４８ａ及び開口４７ｃ，４８ｃを、平面視でコイル２１の巻き線２１ｂに重ならないようにすることが好ましい。
【００４６】
なお、日車５０は、平面視で受信リード板１３に重なって配置されているため、日車５０が受信リード板１３に重ならずに、受信リード板１３よりも半径方向の外方に配置されたものよりも、時計１の外径を小さくすることができる。本実施形態の時計１は、受信リード板１３に平面視で重なる表示部材の一例として日車５０を適用したものであるが、表示部材としては、日車５０の他に、曜日を表示する曜板や都市名を表示する板状の部材など、円板状または円環板状の表示部材であれば適用可能である。
【００４７】
また、図４に示すように、受信リード板１３と耐磁板３０との最も近い距離Ａと、受信リード板１３と時計１の金属製の外装ケース３との最も近い距離Ｂとの大小関係を、Ａ＜Ｂに設定しておくことが好ましい。このように設定された時計１は、受信リード板１３に対する金属製の外装３の影響（渦電流損失等）が低減され、しかも時計１の小型化が可能である。
【００４８】
＜変形例＞
上述した実施形態の時計１は、受信リード板１３が一様な厚さで形成されていたものであるが、本発明に係る電波修正時計における受信リード板は、一様な厚さのものに限定されない。図９は、地板４０に形成された庇４３ａ，４２ａ，４４ａ，４５ａ，４６ａにより押圧される部分（端部１１３ａ，１１３ｂ、凸部１１３ｃ，１１３ｄ，１１３ｅ）を除いた一部１１３ｆが、庇４３ａ，４２ａ，４４ａ，４５ａ，４６ａにより押圧される部分（端部１１３ａ，１１３ｂ、凸部１１３ｃ，１１３ｄ，１１３ｅ）よりも厚く形成された受信リード板１１３を含むアンテナ１１０を示す斜視図である。
【００４９】
実施形態の時計１は、アンテナ１０に代えて図９に示したアンテナ１１０を備えることができ、アンテナ１１０を備えた時計１も本発明に係る電波修正時計の一実施形態である。このように構成された時計１は、実施形態の時計１と同様の作用、効果を発揮するのに加えて、受信リード板１１３の一部１１３ｆが受信リード板１３よりも厚く形成されているため、受信リード板１３に比べて集磁性能が高められ、標準電波を受信する性能を向上させることができる。しかも、庇４３ａ，４２ａ，４４ａ，４５ａ，４６ａの高さは、アンテナ１０の場合と同じ高さに維持することができるため、時計１の全体の厚さを厚くする必要がない。
【００５０】
図１０は、一部を２枚重ねにした受信リード板２１３を含むアンテナ２１０を示す斜視図である。図１１Ａ，１１Ｂ，１１Ｃ，１１Ｄは、受信リード板２１３を地板２４０に保持させる様子を示す図であり、図１１Ａは受信リード板２１３のうちベース板２１４を保持させる前の状態、図１１Ｂは図１１Ａにおける庇２４１を弾性変形させて内周縁２１４ｆを庇２４１の下側に挿し入れた状態、図１１Ｃはベース板２１４を長手方向に移動させて地板２４０に保持させた状態、図１１Ｄはベース板２１４に重ねられた付加板２１５を地板２４０に保持させた状態を示す。
【００５１】
図１０に示した受信リード板２１３は、受信リード板１３と同様のベース板２１４に、付加板２１５が重ね合わされて、このベース板２１４と付加板２１５とが重ね合わされた部分がベース板２１４単独の部分よりも厚くなっている。ベース板２１４には、両端部２１４ａ，２１４ｂの間に、内周側に突出した凸部２１４ｃと、外周側に突出した凸部２１４ｄ，２１４ｅ，２１４ｇとが形成されている。また、付加板２１５には、外周側に突出した凸部２１５ａ，２１５ｂが形成されている。なお、付加板２１５は、ベース板２１４の両端部２１４ａ，２１４ｂ及び凸部２１４ｃ，２１４ｄ，２１４ｅ，２１４ｇには重ならない。また、付加板２１５の内周縁２１５ｃはベース板２１４の内周縁２１４ｆに重なる。
【００５２】
図１１Ａに示した地板２４０には、ベース板２１４が載置される受信リード板載置面２４４と、受信リード板載置面２４４から突出してベース板２１４の両端部２１４ａ，２１４ｂ及び凸部２１４ｃ，２１４ｄ，２１４ｅ，２１４ｇに接触し、ベース板２１４を受信リード板載置面２４４に押圧する庇２４３ａ，２４２ａ，２４４ａ，２４５ａ，２４６ａ，２４７ａが形成されている。また、地板２４０には、図１１Ｄに示すように、受信リード板載置面２４４から突出して、ベース板２１４に重ねられた付加板２１５の凸部２１５ａ，２１５ｂ及び内周縁２１５ｃにそれぞれ接触し、付加板２１５及びベース板２１４を受信リード板載置面２４４に押圧する庇２４８ａ，２４９ａ，２４１が形成されている。
【００５３】
そして、実施形態の時計１は、アンテナ１０及び地板４０に代えて図１０に示したアンテナ２１０及び図１１Ａ，１１Ｂ，１１Ｃ，１１Ｄに示した地板２４０を備えることができ、アンテナ２１０及び地板２４０を備えた時計１も本発明に係る電波修正時計の一実施形態である。
【００５４】
このように構成された時計１は、図１１Ａに示すように、地板２４０の庇２４２ａの下にベース板２１４の端部２１４ｂが挿し入れられる。このとき端部２１４ａ及び凸部２１４ｃ，２１４ｄ，２１４ｅ，２１４ｇは庇２４３ａ，２４４ａ，２４５ａ，２４６ａ，２４７ａからずれた位置にある。内周縁２１４ｆは庇２４１の下に潜りこんだ状態となるが、これは、図１１Ｂの矢印方向（半径方向の内側に向けた方向）に庇２４１を弾性変形させて内周縁２１４ｆが庇２４１に干渉しない状態とすることで、内周縁２１４ｆを庇２４１の下に配置した状態とする。
【００５５】
その後、ベース板２１４を受信リード板載置面２４４上で長手方向（図１１Ａの矢印方向）に移動させて、図１１Ｃに示すように、地板２４０の庇２４３ａの下に端部２１４ａを、庇２４４ａの下に凸部２１４ｃを、庇２４５ａの下に凸部２１４ｄを、庇２４６ａの下に凸部２１４ｅを、庇２４７ａの下に凸部２１４ｇを、それぞれ挿し入れた状態とする。これにより、ベース板２１４は受信リード板載置面２４４に押圧された状態で、地板２４０に対して動かないように保持される。
【００５６】
次いで、図１１Ｄに示すように、ベース板２１４の上に付加板２１５が載せられる。このとき、付加板２１５は外周側が低くなるように傾けられて、外周側に形成された凸部２１５ａ、２１５ｂが、地板２４０に形成された庇２４８ａ，２４９ａの下にそれぞれ挿し入れられ、その状態で、付加板２１５はベース板２１４の上に重ねられる。付加板２１５の内周縁２１５ｃは庇２４１に干渉するが、ベース板２１４の場合と同様に、庇２４１が、図１１Ｄの矢印方向（半径方向の内側に向けた方向）に弾性変形させられて内周縁２１５ｃが庇２４１の下に配置された状態となる。
【００５７】
その状態で、庇２４１が元の状態に復元されることで、付加板２１５は、庇２４８ａ，２４９ａ，２４１によって、ベース板２１４上に押圧された状態で、地板２４０に対して動かないように保持される。ベース板２１４と付加板２１５とは、接合や締結されることなく互いに接触した状態で地板２４０に保持されるため、実質的に厚さが厚くなる。したがって、アンテナ２１０は、アンテナ１０に比べて集磁性能が高められ、標準電波を受信する性能を向上させることができる。
【符号の説明】
【００５８】
１        時計
１０      アンテナ
１１      アンテナコア
１２ａ    付加ブロック
１２ｂ    付加ブロック
１３      受信リード板
２０      ステップモータ
２１      コイル
２２      ステータ
２３      ロータ
３０      耐磁板
Ｃ        中心
【図１】
0006636361.tif 000002
【図２】
0006636361.tif 000003
【図３】
0006636361.tif 000004
【図４】
0006636361.tif 000005
【図５】
0006636361.tif 000006
【図６】
0006636361.tif 000007
【図７Ａ】
0006636361.tif 000008
【図７Ｂ】
0006636361.tif 000009
【図７Ｃ】
0006636361.tif 000010
【図８Ａ】
0006636361.tif 000011
【図８Ｂ】
0006636361.tif 000012
【図９】
0006636361.tif 000013
【図１０】
0006636361.tif 000014
【図１１Ａ】
0006636361.tif 000015
【図１１Ｂ】
0006636361.tif 000016
【図１１Ｃ】
0006636361.tif 000017
【図１１Ｄ】
0006636361.tif 000018